(57)【要約】      （修正有）【課題】埃やゴミの溜まり易い環境下においてもトラッキング防止効果が改善された電源プラグ及び変換アダプターを提供する。【解決手段】電源コンセントの差込口に差し込まれる２つの電極端子１１と、電極端子を保持するケース体１２と、を有し、ケース体の内部で電極端子の各々に電源コード体を結線可能な構成の電源プラグ１において、２つの電極端子の間隔を２０ｍｍ以上とする。また、変換アダプターは、現行規格の１３．５ｍｍ間隔の電極端子差込口に差込可能な１３．５ｍｍ間隔の電極端子を有すると共に、電源プラグを差込可能な２０ｍｍ以上の間隔の電極端子差込口を有する構成とする。【選択図】図１
0003201744.tif 000002
【実用新案登録請求の範囲】
【請求項１】
電源コンセントの差込口に差し込まれる２つの電極端子と、該電極端子を保持するケース体と、を有し、前記ケース体の内部で前記電極端子の各々に電源コード体を結線可能な構成の電源プラグにおいて、
前記２つの電極端子の間隔が２０ｍｍ以上であることを特徴とする電源プラグ。
【請求項２】
前記２つの電極端子の間隔が２５ｍｍ以上であることを特徴とする請求項１に記載の電源プラグ。
【請求項３】
前記ケース体が略Ｙ字状を有しており、このＹ字の２つの上端部分に前記２つの電極端子の各々が配設された構成であることを特徴とする請求項１又は２に記載の電源プラグ。
【請求項４】
電源コンセントの差込口の間隔が現行規格の１３．５ｍｍから２０ｍｍ以上に規格変更されるまで、請求項１又は２に記載の電源プラグを現行規格の電源コンセントに用いるための変換アダプターであって、
該アダプターが、現行規格の１３．５ｍｍ間隔の差込口に差込可能な１３．５ｍｍ間隔の電極端子を有すると共に、前記電極プラグの電極端子を差込可能な２０ｍｍ以上の間隔の差込口を有する構成であることを特徴とする電源プラグ用の変換アダプター。
【請求項５】
前記差込口の間隔が２５ｍｍ以上であることを特徴とする請求項４に記載の電源プラグ用の変換アダプター。
【請求項６】
前記変換アダプターの電源コンセントに相対する面に凹溝が形成された構成であることを特徴とする請求項４又は５に記載の電源プラグ用の変換アダプター。
【請求項７】
前記変換アダプターの電源プラグに相対する面に凹溝が形成された構成であることを特徴とする請求項４〜６のいずれかに記載の電源プラグ用の変換アダプター。
【考案の詳細な説明】
【技術分野】
【０００１】
本考案は電源プラグ及び変換アダプターに関し、詳しくは、トラッキング防止に有効な新たに提案する規格の電源プラグと、この新提案規格の電源プラグを現行規格の差込口に用いるための変換アダプターに関する。
【背景技術】
【０００２】
電源プラグを電源コンセントの差込口に差し込んだまま長期間使用した場合、電源プラグとコンセントとの間に付着堆積した埃やゴミが水分を含むことによって電源プラグの２つの電極端子間に電流が流れてしまうこと、即ち、トラッキングが発生することがある。このトラッキングは火災の発生原因の一つでもあり、大きな問題になっている。
【０００３】
そこで、２つの電極端子間の電源プラグ側の面に溝を設けることによって、埃やゴミの付着堆積を抑制して上記したトラッキングを防止しようとする技術が既に提案されている（例えば、特許文献１等参照）。
【先行技術文献】
【特許文献】
【０００４】
【特許文献１】特開２００６−３０２８２３号
【考案の概要】
【考案が解決しようとする課題】
【０００５】
特許文献１に記載の技術は、電極端子間に設けられた電源プラグ側の面の溝の存在によって、この溝がない従来品に比べれば埃やゴミが堆積し難くく、トラッキング防止効果が見られる場合もある。
【０００６】
しかし、埃やゴミが特に溜まり易い環境下であるテレビ・冷蔵庫等の家電製品の裏側に配置される電源コンセントに用いた場合は埃やゴミの付着堆積は避けられず、根本的な解決には至っていないのが実情である。
【０００７】
そこで本考案の目的は、埃やゴミの溜まり易い環境下においてもトラッキング防止効果が改善された電源プラグ及び変換アダプターを提供することにある。
【課題を解決するための手段】
【０００８】
上記課題を解決する本考案は下記構成を有する。
【０００９】
１．電源コンセントの差込口に差し込まれる２つの電極端子と、該電極端子を保持するケース体と、を有し、前記ケース体の内部で前記電極端子の各々に電源コード体を結線可能な構成の電源プラグにおいて、
前記２つの電極端子の間隔が２０ｍｍ以上であることを特徴とする電源プラグ。
【００１０】
２．前記２つの電極端子の間隔が２５ｍｍ以上であることを特徴とする上記１に記載の電源プラグ。
【００１１】
３．前記ケース体が略Ｙ字状を有しており、このＹ字の２つの上端部分に前記２つの電極端子の各々が配設された構成であることを特徴とする上記１又は２に記載の電源プラグ。
【００１２】
４．電源コンセントの差込口の間隔が現行規格の１３．５ｍｍから２０ｍｍ以上に規格変更されるまで、請求項１又は２に記載の電源プラグを現行規格の電源コンセントに用いるための変換アダプターであって、
該変換アダプターが、現行規格の１３．５ｍｍ間隔の差込口に差込可能な１３．５ｍｍ間隔の電極端子を有すると共に、前記電極プラグの電極端子を差込可能な２０ｍｍ以上の間隔の差込口を有する構成であることを特徴とする電源プラグ用の変換アダプター。
【００１３】
５．前記差込口の間隔が２５ｍｍ以上であることを特徴とする請求項４に記載の電源プラグ用の変換アダプター。
【００１４】
６．前記アダプターの電源コンセントに相対する面に凹溝が形成された構成であることを特徴とする上記４又は５に記載の電源プラグ用の変換アダプター。
【００１５】
７．前記アダプターの電源プラグに相対する面に凹溝が形成された構成であることを特徴とする上記４〜６のいずれかに記載の電源プラグ用の変換アダプター。
【考案の効果】
【００１６】
請求項１に示す考案によれば、埃やゴミの溜まり易い環境下においてもトラッキング防止効果が改善された電源プラグを提供することにある。
【００１７】
特に、２つの電極端子の間隔が、現行規格の１３．５ｍｍに比べて著しく広いので、この２つの電極端子間のトラッキングの発生を著しく抑制することができる。従って、安全性の高い電源プラグを提供することができる。
【００１８】
請求項２に示す考案によれば、２つの電極端子間のトラッキングの発生をより抑制することができる。従って、極めて安全性の高い電源プラグを提供することができる。
【００１９】
請求項３に示す考案によれば、２つの電極端子間への埃やゴミの付着堆積が極めて困難であるため、トラッキングの発生を効果的に抑制することができる。
また、電源プラグを電源コンセントから引き抜く際に、Ｙ字状の二股部を親指と人差し指によって両側から挟み込んだ時にこの二股部が指掛かりとなるので引抜きが極めて容易になる。
【００２０】
請求項４に示す考案によれば、電源コンセントの差込口の間隔が現行規格の１３．５ｍｍから２０ｍｍ以上に規格変更されるまでの期間であっても上記の電源プラグを用いることができる。
【００２１】
請求項５に示す考案によれば、電源コンセントの差込口の間隔が現行規格の１３．５ｍｍから２５ｍｍ以上に規格変更されるまでの期間であっても上記の電源プラグを用いることができる。
【００２２】
請求項６に示す考案によれば、電源コンセントと変換アダプターとの間への埃やゴミの堆積付着を抑制することができる。
【００２３】
請求項７に示す考案によれば、電源プラグと変換アダプターとの間に埃やゴミの堆積付着を抑制することができる。
【図面の簡単な説明】
【００２４】
【図１】本考案に係る電源プラグの一実施例を示す４面図（正面図、平面図、底面図、左側面図）
【図２】図１に示す電源プラグの使用例の一例を示す概略説明図
【図３】本考案に係る変換アダプターの一実施例を示す４面図（正面図、平面図、底面図、左側面図）
【図４】図１に示す電源プラグと図３に示す変換アダプターの使用例の一例を示す概略説明図
【図５】本考案に係る電源プラグの第２実施例を示す正面図
【図６】本考案に係る電源プラグの第３実施例を示す４面図（正面図、平面図、底面図、左側面図）
【図７】本考案に係る電源プラグの更に第４実施例を示す左側面図
【図８】本考案に係る変換アダプターの第２実施例を示す４面図（正面図、平面図、底面図、左側面図）
【考案を実施するための形態】
【００２５】
次に、添付の図面に従って本考案について詳細に説明する。
【００２６】
本考案に係る電源プラグは、電源コンセントの差込口の間隔が現行規格の１３．５ｍｍに替わるものとして、トラッキング防止に有効な２０ｍｍ以上の幅を有する新た規格の電源プラグを提案するものであり、その具体的構成としては、図１及び図２に示すように、
電源コンセント４の差込口に差し込まれる２つの電極端子１１・１１と、該電極端子１１・１１を保持するケース体１２と、を有し、前記ケース体１２の内部で前記電極端子１１・１１の各々に電源コード体５を結線可能な構成の電源プラグ１において、
前記２つの電極端子１１・１１の間隔が２０ｍｍ以上の構成を有するものである。
【００２７】
更に、本考案の電源プラグ１は、２つの電極端子１１・１１の間隔が２５ｍｍ以上であることが好ましく、とりわけ好ましくは現行規格の１３．５ｍｍの２倍である２６ｍｍ又は２７ｍｍである。かかる構成によれば、現行規格の１３．５ｍｍに比べて著しく広いので、この２つの電極端子１１・１１間のトラッキングの発生を著しく抑制することができ、安全性の高い電源プラグ１を提供することができる。
【００２８】
ケース体１２の形状としては、本実施例に示すように二股部１２Ａを有する略Ｙ字状を有し、このＹ字の２つの上端部分に前記２つの電極端子１１・１１の各々が配設された構成であることが好ましい。尚、図１中に示す符号１３は電源コード５の挿通部である。
【００２９】
ケース体１２をＹ字状に形成することにより、２つの電極端子１１・１１の間隔が離れるだけでなく、二股部１２Ａが設けられることによって電源コンセント４と相対する面との間に大きな間隙Ａ１が生じ、この間隙Ａ１によって埃やゴミの付着堆積が困難となり、トラッキングの発生を効果的に抑制することができる。
【００３０】
また、電源プラグ１を電源コンセント４から引き抜く際に、Ｙ字状の二股部１２Ａを親指と人差し指によって両側から挟み込んだ時にこの二股部１２Ａが指掛かりとなるので引抜きが極めて容易になる。
【００３１】
更に、ケース体１２の材質としては、この種の電源プラグのケース体として公知公用のものを特別の制限なく用いることができる。
【００３２】
以上、本考案に係る電源プラグについて実施例に基づき説明したが、本考案の電源プラグは電源コンセントの差込口の間隔が上記した２０ｍｍ以上に規格変更されるまでは使用できないため、現行規格の１３．５ｍｍから本明細書において新たに提案している２０ｍｍ以上に規格変更されるまでの期間は変換アダプターを用いることが好ましい。
【００３３】
上記の電源プラグに用いることができる本考案の変換アダプターについて図３及び図４に基づき説明する。
【００３４】
本考案の変換アダプター２は、電源コンセントの差込口の間隔が１３．５ｍｍの現行規格の電源コンセント６から２０ｍｍ以上の電源コンセント（図２に示す電源コンセント４）に規格変更されるまで、上記の電源プラグ１を現行規格の電源コンセント６に用いるためのものであって、
該変換アダプター２が、現行規格の電源コンセント６の１３．５ｍｍ間隔の差込口に差込可能な１３．５ｍｍ間隔の電極端子２１・２１を有すると共に、前記電極プラグ１の電極端子１１・１１を差込可能な２０ｍｍ以上の間隔の差込口２３・２３を有するものである。尚、符号２２は変換アダプター２のケース体である。
【００３５】
更に、本考案の変換アダプター２の２つの電極端子２１・２１の間隔は上記した本考案の電源プラグ１の２つの電極端子１１・１１の間隔に対応する間隔を有するものである。従って、上記した電源プラグ１と同様に、電極端子２１・２１の間隔は２５ｍｍ以上であることが好ましく、とりわけ好ましくは現行規格の１３．５ｍｍの２倍である２６ｍｍ又は２７ｍｍである。
【００３６】
ケース体２２の材質としては、上記した電源プラグ１と同様の材質を用いることができる。
【００３７】
またケース体２２には、電源コンセント６に相対する面に凹溝２２Ｂが形成されていることが好ましい。かかる構成によれば、電源コンセント６と変換アダプター２との間に間隙Ｂが生じ、この間隙Ｂによって埃やゴミの付着堆積を抑制することができる。
【００３８】
更にケース体２２には、上記した電源プラグ１に相対する面に凹溝２２Ａが形成されていることが好ましい。かかる構成によれば、電源プラグ１と変換アダプター２との間に間隙Ａ２（及びＡ１）が生じ、この間隙Ａ２（及びＡ１）によって埃やゴミの堆積付着を抑制することができる。
【００３９】
以上、本考案に係る電源プラグと変換アダプターについて説明したが、本考案は上記した実施例に限定されず、本考案の範囲内において他の態様を採ることができる。
【００４０】
例えば、電源プラグ１のＹ字状のケース体１２の二股部１２Ａは図１及び図２の実施例に示した曲線状に限らず、図５に示す第２実施例のように矩形状であってもよい。
【００４１】
また、図６に示す第３実施例のように、差込方向のケース体１２の長さを短くしたコンパクトタイプの構成であってもよい。かかる構成によれば、壁面等に設置される電源コンセントに差し込んだ際、壁からの突出を少なくすることができる。
【００４２】
更に、電源コード５はケース体１２の差込方向後端から延伸する構成に限らず、図７に示す第４実施例のように、ケース体１２の差込方向に直交する方向から延伸する構成であってもよい。かかる構成によれば、壁面等に設置される電源コンセントに差し込んだ際、電源コードを壁面に沿って下方に取り回すことができる。
【００４３】
また、図６に示す電源プラグ１と同様に、変換アダプター２についても図８に示す第２実施例のようにコンパクトタイプの構成とすることもできる。
【００４４】
更に、変換アダプター２は、電極端子２１部分がケース体２２に対して回動可能に取り付けられた構成とすることもできる。かかる構成によれば、電源コンセントへの差込方向に対するケース体２２の向きを差込方向と一致させる以外に該差込方向と直行する方向であって且つ上方向又は下方向に回動させた状態にすることができるので、電源コード５の取り回し方向を適宜変更することが可能になる。
【符号の説明】
【００４５】
１  電源プラグ
１１  電極端子
１２  ケース体
１２Ａ  二股部
２  変換アダプター
２１  電極端子
２２  ケース体
２２Ａ  凹溝
２２Ｂ  凹溝
２３  挿通部
３  壁面
４  電源コンセント（新提案規格）
５  電源コード
６  電源コンセント（現行規格）
Ａ１  間隙
Ａ２  間隙
Ｂ  間隙
【図１】
0003201744.tif 000003
【図２】
0003201744.tif 000004
【図３】
0003201744.tif 000005
【図４】
0003201744.tif 000006
【図５】
0003201744.tif 000007
【図６】
0003201744.tif 000008
【図７】
0003201744.tif 000009
【図８】
0003201744.tif 000010